(57)【要約】【課題】容器が揺れても容器内に入れられた飲料が飛散せず、熱い飲料も飲みやすくできる容器蓋を提供する。【解決手段】容器蓋１の頂壁３に飲み口としての開口１０を設け、開口１０の形成部位にはフラップ６を設ける。フラップ６の下面の一部位には連結部１７介して弁板１６を連結させ、弁板１６はフラップ６に対し間隔を介して重なり合う態様で連結部１７から先方へ向けて伸張形成して開口１０の下側に配置する。開口１０に対向する弁板１６の部位は開口１０よりも少なくとも一部が大きい平面を有することで、飲料が収容されている容器に容器蓋１が被せられている容器蓋１の使用状態時に容器内の飲料が開口１０から外へ飛び出そうとしたときに、飲料の飛び出し方向の圧力を容器内から受けて弁板１６が上向きに回転移動し、開口１０を塞いで開口１０から外部への飲料の飛び出し飛散を抑制する。【選択図】図１
2018203331.tif 000002
【特許請求の範囲】
【請求項１】
飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に連接されて該連接部位を支点とし上下回転方向に移動して前記開口に対して出入移動が可能な操作板が設けられ、該操作板の下面の一部位には連結部を介して弁板が連結されており、該弁板は該連結部から前記操作板に対し間隔を介して重なり合う態様で先方へ向けて伸張形成されて前記開口の下側に配置され、前記開口に対向する弁板の部位は少なくとも一部が前記開口よりも外側にはみ出る平面を有することで、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記弁板が上向きに回転移動し前記開口を塞いで前記開口から外部への飲料の飛び出し飛散を抑制することを特徴とする容器蓋。
【請求項２】
操作板の連接部位を支点として上下回転方向に移動する部位は頂壁と機械的強度を弱くした脆弱部位を介して連結一体化されており、前記操作板を下方へ押して前記脆弱部位を破断することで前記操作板の上下回転方向に移動する部位は前記頂壁と分離されて前記上下回転方向の移動を可能と成すことを特徴とする請求項１記載の容器蓋。
【請求項３】
飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に連接されて該連接部位を支点とし上下回転方向に移動して前記開口に対して出入移動が可能な操作板が設けられ、該操作板の上下回転方向に移動する面部位は少なくとも一部が前記開口より外側にはみ出る大きい平面に形成されており、該操作板の上下回転方向に移動する面部位が前記開口の上側から開口の下側へ押し込まれた配置状態で、飲料が収容されている前記容器に前記容器蓋が被せられている容器蓋の使用状態時に、容器内の飲料が前記開口から外へ飛び出そうとしたときに、その飲料の飛び出し方向の圧力を容器内から受けて前記操作板が上向きに回転移動し前記開口を塞いで前記開口から外部への飲料の飛び出し飛散を抑制することを特徴とする容器蓋。
【請求項４】
開口は容器蓋の側壁の一部位側から頂壁の中央側へ向かう径方向の長さよりも該径方向に略直交する左右方向の長さが長めの横長形状に形成されていることを特徴とすることを特徴とする請求項１または請求項２または請求項３記載の容器蓋。
【請求項５】
操作板は開口の一端側となる容器蓋の側壁部位に下唇を当てたときに容器蓋の頂壁に接触すると想定される少なくとも上唇の位置まで前記頂壁の中央側へ向けて伸張されており、前記操作板の上面には前記上唇が接触すると想定される部位に上方に突出する突出部が形成されており、飲料が収容されている容器に前記容器蓋が被せられている容器蓋の使用状態時に、前記操作板の突出部を前記上唇で下方へ押して前記操作板を開口の下方へ回転移動し容器を傾けることで、前記容器内の飲料を開口を通して利用者の口内に導入することを可能とすることを特徴とする請求項１乃至請求項４のいずれか一つに記載の容器蓋。
【発明の詳細な説明】
【技術分野】
【０００１】
本発明は、例えば紙コップ等の容器に飲料等を入れた状態で紙コップの上に被せられる容器蓋に関するものである。
【背景技術】
【０００２】
例えばコンビニエンスストアやファストフード店、飛行機内のドリンクサービス等において、紙コップ内にコーヒー等の飲料を入れ、その飲料入りの紙コップを持ち運ぶことができるように、紙コップの上にプラスチック製の蓋（容器蓋）を設ける（被せる）ことが行われている。
【０００３】
図５には、このような容器蓋１の一例が、容器としての紙コップ２と共に斜視図により示されており、図６には容器蓋１の平面図により示されている。これらの図に示されるように、容器蓋１は、略円形状の頂壁３と、頂壁３の周端部から下方に伸張する側壁４とを有しており、側壁４は、コップ状の容器としての紙コップ２の上端部に嵌合するように形成されている。頂壁３は外輪壁部１１と、該外輪壁部１１の内側に形成された部位とを有しており、この部位は中央側に向けて徐々にへこむように形成されており、頂壁３の中心部には空気が通る貫通孔１２が形成されている。側壁４の下端側には鍔部１３が形成され、該鍔部１３には紙コップ２の上端部の縁部をはめ込むための嵌合部１４が形成されている。
【０００４】
頂壁３の一部位にはコ形状の切り込み（切れ目）５が形成されており、切り込み５に沿って切り込み５の内側の頂壁部位を切り起こす又は下側に押し込むことにより、台形状のフラップ（フラッパー）６が形成されるようになっている。フラップ６は頂壁中央側寄りの部位を基端側として該基端側が頂壁３に連接され、該連接部位２０を支点として上下回転方向に移動可能な操作板として機能する（図５の矢印、参照）。
【０００５】
なお、フラップ６は台形状に形成されているが、その台形状の辺の長さがほぼ等しく形成されて正方形状に近い形状を有し、角部には丸みが形成されている。フラップ６の上側には上側に突出した箱形状の突出部７が形成されている。頂壁３には、フラップ６の基端側の連接部位２０にほぼ隣接してフラップ６より広い面積を有する凹部８が形成されており、凹部８には、突出部７に隣接して凹部８よりも深い断面矩形状の凹部９が形成されている。
【０００６】
この容器蓋１において、例えば突出部７に指をかけて上側回転方向に移動させると、例えば図７（ａ）に示されるように、フラップ６を上側に開くことができ、フラップ６を開くと飲み口としての開口１０が形成される。なお、突出部７を凹部９に嵌合してフラップ６を凹部８に嵌合すると、フラップ６が開いたままの状態とすることができる。また、例えば図７（ｂ）に示されるように、突出部７を下側に押してフラップ６を開口１０の内側（下側）に押し込んでも、開口１０を飲み口として利用することができる。
【０００７】
なお、頂壁３の外輪部位１１は、開口１０の近傍の高さが他の領域よりもやや高めに形成され、この高めに形成されている領域の外輪部位１１の幅（頂壁３の径方向の長さ）が狭く形成されていることにより、この領域に利用者が口をつけた状態で飲料が飲みやすく形成されている。
【先行技術文献】
【特許文献】
【０００８】
【特許文献１】特開平１１−３３４７５３号公報
【発明の概要】
【発明が解決しようとする課題】
【０００９】
しかしながら、従来の容器蓋１においては、例えば、飛行機内において一度フラップ６を開いて飲料の一部を飲んだ後、手で容器を持っているときに飛行機が揺れたりすると、中の飲料が開口１０から飛び出して飛散し、特に飲料が熱いコーヒー等の場合には、最悪の場合、火傷してしまうおそれがあった。また、従来の容器蓋１においては、飲み口としての開口１０が小さいため、熱いコーヒー等の熱い飲料を開口７から飲むと非常に飲みにくいといった問題もあった。
【００１０】
本発明は、前記課題を解決するために成されたものであり、その目的は、例えば容器が揺れても容器内に入れられた飲料がこぼれないようにでき、コーヒー等の熱い飲料も飲みやすくできる容器蓋を提供することにある。
【課題を解決するための手段】
【００１１】
上記目的を達成するために、本発明は次のような構成をもって課題を解決するための手段としている。すなわち、第１の発明は、飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に連接されて該連接部位を支点とし上下回転方向に移動して前記開口に対して出入移動が可能な操作板が設けられ、該操作板の下面の一部位には連結部を介して弁板が連結されており、該弁板は該連結部から前記操作板に対し間隔を介して重なり合う態様で先方へ向けて伸張形成されて前記開口の下側に配置され、前記開口に対向する弁板の部位は少なくとも一部が前記開口よりも外側にはみ出る平面を有することで、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記弁板が上向きに回転移動し前記開口を塞いで前記開口から外部への飲料の飛び出し飛散を抑制する構成をもって課題を解決するための手段としている。
【００１２】
また、第２の発明は、前記第１の発明の構成に加え、前記操作板の連接部位を支点として上下回転方向に移動する部位は頂壁と機械的強度を弱くした脆弱部位を介して連結一体化されており、前記操作板を下方へ押して前記脆弱部位を破断することで前記操作板の上下回転方向に移動する部位は前記頂壁と分離されて前記上下回転方向の移動を可能と成すことを特徴とする。
【００１３】
さらに、第３の発明は、飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に連接されて該連接部位を支点とし上下回転方向に移動して前記開口に対して出入移動が可能な操作板が設けられ、該操作板の上下回転方向に移動する面部位は少なくとも一部が前記開口より外側にはみ出る大きい平面に形成されており、該操作板の上下回転方向に移動する面部位が前記開口の上側から開口の下側へ押し込まれた配置状態で、飲料が収容されている前記容器に前記容器蓋が被せられている容器蓋の使用状態時に、容器内の飲料が前記開口から外へ飛び出そうとしたときに、その飲料の飛び出し方向の圧力を容器内から受けて前記操作板が上向きに回転移動し前記開口を塞いで前記開口から外部への飲料の飛び出し飛散を抑制する構成をもって課題を解決するための手段としている。
【００１４】
さらに、第４の発明は、前記第１または第２または第３の発明の構成に加え、前記開口は容器蓋の側壁の一部位側から頂壁の中央側へ向かう径方向の長さよりも該径方向に略直交する左右方向の長さが長めの横長形状に形成されていることを特徴とする。
【００１５】
さらに、第５の発明は、前記第１乃至第４のいずれか一つの発明の構成に加え、前記操作板は開口の一端側となる容器蓋の側壁部位に下唇を当てたときに容器蓋の頂壁に接触すると想定される少なくとも上唇の位置まで前記頂壁の中央側へ向けて伸張されており、前記操作板の上面には前記上唇が接触すると想定される部位に上方に突出する突出部が形成されており、飲料が収容されている容器に前記容器蓋が被せられている容器蓋の使用状態時に、前記操作板の突出部を前記上唇で下方へ押して前記操作板を開口の下方へ回転移動し容器を傾けることで、前記容器内の飲料を開口を通して利用者の口内に導入することを可能とすることを特徴とする。
【発明の効果】
【００１６】
本発明によれば、容器蓋は、頂壁と、該頂壁の周端部から下方に伸張して飲料を収容するコップ状の容器の上端部に嵌合する側壁とを有し、前記頂壁には前記側壁の一部位側から前記頂壁の中央側へ向けて伸張する飲み口としての開口が形成されているが、該開口の形成部位には該開口に対して出入移動が可能な操作板が設けられているので、この操作板を出入り移動させて、開口から容器内の飲料を飲むことができる。なお、操作板は、前記開口の頂壁中央側寄りの部位を基端側として該基端側が前記頂壁に連接されて該連接部位を支点とし上下回転方向に移動して前記開口に対して出入移動が可能と成している。
【００１７】
また、本発明において、操作板の下面の一部位には連結部を介して弁板が連結されており、該弁板は該連結部から前記操作板に対し間隔を介して重なり合う態様で先方へ向けて伸張形成されて前記開口の下側に配置されている構成によれば、以下の効果を奏することができる。つまり、前記開口に対向する前記弁板の部位は少なくとも一部が前記開口よりも外側にはみ出る平面を有していて、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記弁板が上向きに回転移動し前記開口を塞いで前記開口から外部への飲料の飛び出し飛散を抑制するので、飲料の飛び出しによる支障が生じることを防ぐことができる。
【００１８】
つまり、本発明において、前記特徴的な弁板を有する容器蓋によれば、例えば、飛行機内において一度操作板を開いて飲料の一部を飲んだ後、手で容器を持っているときに飛行機が揺れたりしても、その際に、前記弁板が上向きに回転移動して前記開口を塞ぐために、前記開口から外部への飲料の飛び出し飛散を抑制することができ、飲料がこぼれて不快な思いをしたり火傷をしたりするといった問題が生じることを防ぐことができる。
【００１９】
また、前記操作板の前記連接部位を支点として上下回転方向に移動する部位を、前記頂壁と機械的強度を弱くした脆弱部位を介して連結一体化し、前記操作板を下方へ押して前記脆弱部位を破断することで、前記操作板の上下回転方向に移動する部位が前記頂壁と分離されて前記上下回転方向の移動を可能と成すようにすると、前記脆弱部位を破断する前は操作板を頂壁と連結一体化させることができるので、容器蓋を容器に被せた状態で、容器内の飲料をほぼ密封状にできる。そして、必要に応じて前記脆弱部位を破断して前記操作板の上下回転方向に移動する部位を前記頂壁と分離し、開口を形成して開口を飲み口とすることができるので、非常に使い勝手よく利用できる。
【００２０】
さらに、本発明において、前記操作板の上下回転方向に移動する面部位は少なくとも一部が前記開口よりもはみ出る大きい平面に形成されている構成によれば、該操作板の上下回転方向に移動する面部位が前記開口の上側から開口の下側へ押し込まれた配置状態で、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記操作板が上向きに回転移動し前記開口を塞いで前記開口から外部への飲料の飛び出し飛散を抑制するので、飲料の飛び出しによる支障が生じることを防ぐことができる。
【００２１】
つまり、この構成においては、操作板が前記弁板を兼ねる構成と成しており、前記特徴的な弁板を有する容器蓋において弁板により開口から外部への飲料の飛び出し飛散が抑制されるのと同様に、例えば、飛行機内において一度操作板を開いて飲料の一部を飲んだ後、手で容器を持っているときに飛行機が揺れたりしても、その際に、操作板の面部位が上向きに回転移動し、前記開口よりも少なくとも一部が大きく形成されている操作板の面部位が前記開口を塞ぐために、前記開口から外部への飲料の飛び出し飛散を抑制することができ、飲料がこぼれて不快な思いをしたり火傷をしたりするといった問題が生じることを防ぐことができる。
【００２２】
さらに、人が口を開けた際の口形状は横方向（コップ等の容器の口に口を当てた状態における左右方向）に長いため、本発明において、容器蓋の前記開口を、前記容器蓋の側壁の一部位側から頂壁の中央側へ向かう径方向の長さよりも該径方向に略直交する左右方向の長さが長めの横長形状に形成すると、容器蓋の開口から飲料を飲みやすくすることができ、熱いコーヒー等を飲む際も非常に飲みやすくすることができる。
【００２３】
さらに、本発明において、前記操作板は前記開口の一端側となる容器蓋の側壁部位に下唇を当てたときに容器蓋の頂壁に接触すると想定される少なくとも上唇の位置まで前記頂壁の中央側へ向けて伸張されており、前記操作板の上面には前記上唇が接触すると想定される部位に上方に突出する突出部が形成されている構成によれば、以下の効果を奏することができる。つまり、この構成は、飲料が収容されている前記容器に前記容器蓋が被せられている容器蓋の使用状態時に、前記操作板の突出部を前記上唇で下方へ押して前記操作板を開口の下方へ回転移動し容器を傾けることで、容器内の飲料を開口を通して利用者の口内に導入することを可能とするので、例えば手を使わなくても唇を突出部に押し当てて操作板を下方へ回転移動させて容易に飲料が飲めるようにすることができる。そのため、より一層使い勝手のよい容器蓋とすることができる。
【図面の簡単な説明】
【００２４】
【図１】本発明に係る容器蓋の一実施例を説明するための模式的な平面図（ａ）と模式的な断面図（ｂ）である。
【図２】実施例の容器蓋を紙コップと共に示す模式的な斜視図（ａ）と、容器蓋のフラップを下側に押して開口を形成した状態を示す模式的な斜視図（ｂ）である。
【図３】本発明に係る蓋容器の他の実施例を説明するための模式的な説明図である。
【図４】本発明に係る蓋容器のさらに他の実施例を説明するための模式的な説明図である。
【図５】従来の容器蓋を紙コップと共に示す模式的な斜視図である。
【図６】従来の容器蓋の模式的な平面図である。
【図７】従来の容器蓋のフラップを上側に開いた状態（ａ）とフラップを下側に押して開口を形成した状態（ｂ）をそれぞれを示す模式的な斜視図である。
【発明を実施するための形態】
【００２５】
以下、本発明の実施の形態を図面に基づき説明する。なお、本実施例の説明において、従来例と同一名称部分には同一符号を付し、その重複説明は省略または簡略化する。
【実施例１】
【００２６】
図１には、本発明に係る容器蓋１の一実施例が模式的に示されており、図１（ａ）が平面図、図１（ｂ）が図１（ａ）のＡ−Ａ断面図をそれぞれ示す。これらの図に示されるように、本実施例の容器蓋１は、従来例とほぼ同様に構成された頂壁３と側壁４、鍔部１３等を有しているが、本実施例では、フラップ６およびその周辺構成を以下に述べるような特徴的な構成としている。
【００２７】
つまり、本実施例では、飲み口としての開口１０およびフラップ６の形状を図１、図２に示されるような特徴的な形状とし、かつ、フラップ６の下側に本実施例の特徴的な弁板１６を設けて容器蓋１を形成している。本実施例において、開口１０は、側壁４の一部位側から頂壁３の中央側へ向けて伸張する飲み口として形成され、容器蓋１の側壁４の一部位側から頂壁の中央側へ向かう径方向の長さより該径方向に略直交する左右方向（図１（ａ）の横方向であって容器蓋１の側壁４部位に下唇を当てた状態における左右方向）の長さが長めの横長形状に形成されており、容器蓋１の側壁４部位に下唇を当てた状態で開かれる利用者の口に飲料が入りやすい（人が飲料を飲みやすい）形状に形成されている。
【００２８】
また、開口１０の形成部位に設けられているフラップ６は、その形状が開口１０とほぼ等しく形成されており、開口１０の頂壁中央側寄りの部位を基端側として該基端側が頂壁３に連接され、該連接部位２０を支点として、図１（ｂ）の矢印Ｂに示されるように、下部回転方向に移動したり図７（ａ）に示した従来例と同様に上部回転方向に移動したりが可能と成しており、このように、フラップ６は連接部位２０を支点として上下回転方向に移動し、開口１０に対して出入移動が可能と成している。
【００２９】
なお、フラップ６の連接部位２０を支点として上下回転方向に移動する部位は、この移動前の状態においては、頂壁３と機械的強度を弱くした脆弱部位としての切り込み５を介して連結一体化されており（切り込み５が形成されていてもフラップ６も頂壁３の一部と成しており）、フラップ６を下方へ押して切り込み５の形成部位を破断することで、フラップ６の上下回転方向に移動する部位は頂壁３と分離されて前記上下回転方向の移動を可能と成している。
【００３０】
また、フラップ６は、開口１０の一端側となる容器蓋１の側壁４部位に下唇を当てたときに容器蓋１の頂壁３に接触すると想定される少なくとも上唇の位置まで形成されおり、フラップ６の上面には、前記上唇が接触すると想定される部位に上方に突出する突出部７が形成されている。また、本実施例でも、頂壁３には、フラップ６の基端側の連接部位２０にほぼ隣接してフラップ６より広い面積を有する凹部８が形成されており、凹部８には、突出部７に隣接して凹部８よりも深い断面矩形状の凹部９が形成されている。
【００３１】
そして、飲料が収容されている紙コップ２に容器蓋１が被せられている容器蓋１の使用状態時に（図２（ａ）、参照）、利用者が開口１０の近傍の外輪部位１１に口をかけ（側壁４部位に下唇を当てて上唇を頂壁３に乗せて外輪部位１１を挟むような態様とし）、フラップ６の突出部７を上唇で下方へ押してフラップ６を開口１０の下方へ回転移動し（図２（ｂ）、参照）、紙コップ２を傾けることで、紙コップ２内の飲料を開口１０を通して利用者の口内に導入することを可能と成している。
【００３２】
なお、本実施例でも、従来例と同様に、図７（ａ）に示したような態様で上部回転方向に移動し、突出部７を凹部９に嵌合することによりフラップ６を開いた状態で維持できる。
【００３３】
また、本実施例では、図１（ｂ）に示されるように、フラップ６の下面の一部位であるフラップ６の基端部に、連結部１７を介して弁板１６が連結されている。この弁板１６がフラップ６に対し間隔を介して重なり合う態様で、連結部１７から先方へ向けて伸張形成されて開口１０の下側に配置されており、弁板１６は、図１（ｂ）に矢印Ｃに示されるように、連結部１７側を始点として上下回転方向に移動可能と成している。
【００３４】
本実施例において、開口１０に対向する弁板１６の部位が開口１０よりも少なくとも一部（ここでは開口１０の曲線部分全領域部）が開口１０よりも外側にはみ出る大きい平面を有しており（図１（ａ）、参照）、この構成と、前記の如く弁板１６を図１（ｂ）に矢印Ｃに示されるように連結部１７側を始点として上下回転方向に移動可能な構成とで、飲料が収容されている容器（紙コップ２）に容器蓋１が被せられている容器蓋１の使用状態時に紙コップ２内の飲料が開口１０から外へ飛び出そうとしたときに、その飲料の飛び出し方向の圧力を紙コップ２内から受けて弁板１６が上向きに回転移動し、開口１０を塞いで開口１０から外部への飲料の飛び出し飛散を抑制する構成と成している。
【００３５】
本実施例は、以上のように構成されており、紙コップ２に容器蓋１を被せた状態で、利用者の上唇で突出部７を下側に押して開口１０から飲料を飲みやすく、熱いコーヒー等でも楽に心地よく飲むことができることに加え、前記のように飲料の飛び出しによる支障が生じることを防ぐことができるため、非常に使い勝手がよく安全性の高い容器蓋１を提供することができる。
【００３６】
なお、本発明は、前記実施例に限定されるものでなく、本発明の技術的範囲を逸脱しない範囲において様々な態様を採り得る。例えば弁板１６の大きさや形状、フラップ６の大きさや形状は特に限定されるものでなく、適宜設定されるものである。例えば、弁板１６を設けるようにすればフラップ６の形状は例えば従来例のような形状としてもよいが、フラップ６を従来例と同様の形状とすると熱いコーヒー等の飲料が飲みにくいので、前記実施例のような横長形状とすることが好ましい。
【００３７】
また、前記実施例では、弁板１６は、容器蓋１のフラップ６の基端部に連結部１７を介して連結させたが、弁板１６は、図３（ａ）、（ｂ）に示されるような態様としてもよい。なお、図３（ａ）、（ｂ）は、図１（ａ）のＡ−Ａ断面図に対応する部位の別の構成例を示す断面図であるが、弁板１６は。例えば図３（ａ）に示されるように、フラップ６の途中部に連結部１７を介して連結させてもよいし、図３（ｂ）に示されるようにフラップ６の先端側に連結部１７を介して連結させてもよい。
【００３８】
さらに、前記実施例では、開口１０に対向する弁板１６の部位は、開口１０の曲線部分全領域部において開口１０よりも外側にはみ出る大きい平面を有するものとしたが、例えば図３（ｃ）の平面図に示されるように、開口１０よりも少なくとも一部が外側にはみ出る平面を有するようにすればよい。なお、弁板１６の一部が開口１０よりも外側にはみ出る平面を有する構成とする場合には、同図に示されるように、開口１０の一端側（容器蓋１の側壁４側）には開口１０の外側にはみ出る平面を有するようにすると、飲料の飛び出し方向の圧力を紙コップ２内から受けて弁板１６が上向きに回転移動し、開口１０を塞いで開口１０から外部への飲料の飛び出し飛散を抑制する効果を効率的に発揮できる。
【００３９】
さらに、前記実施例では頂壁３に脆弱部位としての切り込み５を形成し、この切り込み５を破断することにより開口１０が形成されるようにしたが、切り込み５を形成する代わりに、頂壁３にミシン目状に切れ目を形成したり、頂壁３を薄肉化した脆弱部位を形成したりする等、破断可能な脆弱部位を形成し、その脆弱部位を破断して開口１０とフラップ６を形成できるようにしてもよい。また、脆弱部位を破断する構成とせずに、始めからフラップ６を、その基端部を除いて頂壁３から分離した構成としてもよい。
【００４０】
さらに、前記実施例のような弁板１６を設けずに、フラップ６の上下回転方向に移動する面部位を少なくとも一部が開口１０よりも外側にはみ出る大きい平面に形成されるようにし、フラップ６の上下回転方向に移動する面部位が開口１０の上側から開口１０の下側へ押し込まれた配置状態で、飲料が収容されている容器（例えば紙コップ２）に容器蓋１が被せられている容器蓋１の使用状態時に容器内の飲料が開口１０から外へ飛び出そうとしたときに、その飲料の飛び出し方向の圧力を容器内から受けてフラップ６が上向きに回転移動し、開口１０を塞いで開口１０から外部への飲料の飛び出し飛散を抑制する構成（つまり、フラップ６が前記実施例における弁板１６を兼ねる構成）としてもよい。
【００４１】
このようにフラップ６を形成する場合、例えば図４（ａ）の斜視図および図４（ｂ）の断面図に示されるように、フラップ６の先端側等の適宜の外周部位に、頂壁３の下側に係止する張り出し部１８を形成してもよいし、フラップ６を弾性を有する構成とし、図４（ｃ）に示されるように、単純にフラップ６の上下回転方向に移動する面部位を開口１０よりも大きく形成し、飲料を飲む際にフラップ６をその弾性を利用して開口１０の下側に押し込むように形成してもよい。なお、図４（ｂ）、（ｃ）は、いずれも、図１（ａ）のＡ−Ａ断面図に対応する断面図により示されている。
【００４２】
さらに、本発明の容器蓋１を適用する容器は紙コップ２とは限らず、紙コップの代わりにプラスチックのコップを容器として、その上に容器蓋１を被せて使用してもよいし、容器内に入れられる飲料は特に限定されるものではない。
【産業上の利用可能性】
【００４３】
本発明の容器蓋は、簡単な構成で、例えば容器が揺れても容器内に入れられた飲料がこぼれないようにでき、コーヒー等の熱い飲料も飲みやすくできるので、例えば飛行機の機内飲料や、コンビニエンスストア、ファストフード店等において紙コップ等の容器の上に被せる容器蓋として利用できる。
【符号の説明】
【００４４】
１                容器蓋
２                紙コップ
３                頂壁
４                側壁
５                切り込み
６                フラップ
７                突出部
８，９            凹部
１０              開口
１６              弁板
１７              連結部
２０              連接部位
【図１】
2018203331.tif 000003
【図２】
2018203331.tif 000004
【図３】
2018203331.tif 000005
【図４】
2018203331.tif 000006
【図５】
2018203331.tif 000007
【図６】
2018203331.tif 000008
【図７】
2018203331.tif 000009
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に一体的に連接されて該連接部位を支点とし上下回転方向に移動して前記開口に対して出入移動が可能な操作板が設けられ、該操作板は、前記開口の基端側から前記頂壁の一部位が前記連接部位を介して前記開口内に伸張されることにより前記頂壁の一部位によって形成されており、前記操作板の下面の一部位には連結部を介して弁板が連結されており、該弁板は該連結部から前記操作板に対し間隔を介して重なり合う態様で先方へ向けて伸張形成されて前記開口の下側に配置され、前記開口に対向する弁板の部位は少なくとも一部が前記開口よりも外側にはみ出る平面を有することで、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記弁板が前記操作板と一体的に前記連接部位を支点として上向きに回転移動し前記開口を塞いで前記開口から外部への飲料の飛び出し飛散を抑制することを特徴とする容器蓋。
【請求項２】
操作板の連接部位を支点として上下回転方向に移動する部位は頂壁と機械的強度を弱くした脆弱部位を介して連結一体化されており、前記操作板を下方へ押して前記脆弱部位を破断することで前記操作板の上下回転方向に移動する部位は前記頂壁と分離されて前記上下回転方向の移動を可能と成すことを特徴とする請求項１記載の容器蓋。
【請求項３】
開口は容器蓋の側壁の一部位側から頂壁の中央側へ向かう径方向の長さよりも該径方向に略直交する左右方向の長さが長めの横長形状に形成されていることを特徴とすることを特徴とする請求項１または請求項２記載の容器蓋。
【請求項４】
操作板は開口の一端側となる容器蓋の側壁部位に下唇を当てたときに容器蓋の頂壁に接触すると想定される少なくとも上唇の位置まで前記頂壁の中央側へ向けて伸張されており、前記操作板の上面には前記上唇が接触すると想定される部位に上方に突出する突出部が形成されており、飲料が収容されている容器に前記容器蓋が被せられている容器蓋の使用状態時に、前記操作板の突出部を前記上唇で下方へ押して前記操作板を開口の下方へ回転移動し容器を傾けることで、前記容器内の飲料を開口を通して利用者の口内に導入することを可能とすることを特徴とする請求項１乃至請求項３のいずれか一つに記載の容器蓋。
【手続補正２】
【補正対象書類名】明細書
【補正対象項目名】００１１
【補正方法】変更
【補正の内容】
【００１１】
上記目的を達成するために、本発明は次のような構成をもって課題を解決するための手段としている。すなわち、第１の発明は、飲料を収容するコップ状の容器の上端部に被せる容器蓋であって、該容器蓋は、頂壁と該頂壁の周端部から下方に伸張して前記容器の上端部に嵌合する側壁とを有し、前記頂壁には前記側壁の一部位側から前記頂壁の中央側へ向けて伸張する飲み口としての開口が形成され、該開口の形成部位には該開口の頂壁中央側寄りの部位を基端側として該基端側が前記頂壁に一体的に連接されて該連接部位を支点とし上下回転方向に移動して前記開口に対して出入移動が可能な操作板が設けられ、該操作板は、前記開口の基端側から前記頂壁の一部位が前記連接部位を介して前記開口内に伸張されることにより前記頂壁の一部位によって形成されており、前記操作板の下面の一部位には連結部を介して弁板が連結されており、該弁板は該連結部から前記操作板に対し間隔を介して重なり合う態様で先方へ向けて伸張形成されて前記開口の下側に配置され、前記開口に対向する弁板の部位は少なくとも一部が前記開口よりも外側にはみ出る平面を有することで、飲料が収容されている前記容器に前記容器蓋が被せられている容器蓋の使用状態時に容器内の飲料が前記開口から外へ飛び出そうとしたときに、その飲料の飛び出し方向の圧力を容器内から受けて前記弁板が前記操作板と一体的に前記連接部位を支点として上向きに回転移動し前記開口を塞いで前記開口から外部への飲料の飛び出し飛散を抑制する構成をもって課題を解決するための手段としている。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
さらに、第３の発明は、前記第１または第２の発明の構成に加え、前記開口は容器蓋の側壁の一部位側から頂壁の中央側へ向かう径方向の長さよりも該径方向に略直交する左右方向の長さが長めの横長形状に形成されていることを特徴とする。
【手続補正５】
【補正対象書類名】明細書
【補正対象項目名】００１５
【補正方法】変更
【補正の内容】
【００１５】
さらに、第４の発明は、前記第１乃至第３のいずれか一つの発明の構成に加え、前記操作板は開口の一端側となる容器蓋の側壁部位に下唇を当てたときに容器蓋の頂壁に接触すると想定される少なくとも上唇の位置まで前記頂壁の中央側へ向けて伸張されており、前記操作板の上面には前記上唇が接触すると想定される部位に上方に突出する突出部が形成されており、飲料が収容されている容器に前記容器蓋が被せられている容器蓋の使用状態時に、前記操作板の突出部を前記上唇で下方へ押して前記操作板を開口の下方へ回転移動し容器を傾けることで、前記容器内の飲料を開口を通して利用者の口内に導入することを可能とすることを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】変更
【補正の内容】
【００２４】
【図１】本発明に係る容器蓋の一実施例を説明するための模式的な平面図（ａ）と模式的な断面図（ｂ）である。
【図２】実施例の容器蓋を紙コップと共に示す模式的な斜視図（ａ）と、容器蓋のフラップを下側に押して開口を形成した状態を示す模式的な斜視図（ｂ）である。
【図３】本発明に係る蓋容器の他の実施例を説明するための模式的な説明図である。
【図４】実施例の蓋容器に関連する他の例の蓋容器を説明するための模式的な説明図である。
【図５】従来の容器蓋を紙コップと共に示す模式的な斜視図である。
【図６】従来の容器蓋の模式的な平面図である。
【図７】従来の容器蓋のフラップを上側に開いた状態（ａ）とフラップを下側に押して開口を形成した状態（ｂ）をそれぞれを示す模式的な斜視図である。
【手続補正９】
【補正対象書類名】明細書
【補正対象項目名】００２６
【補正方法】変更
【補正の内容】
【００２６】
図１には、本発明に係る容器蓋１の一実施例が模式的に示されており、図１（ａ）が平面図、図１（ｂ）が図１（ａ）のＡ−Ａ断面図をそれぞれ示す。これらの図に示されるように、本実施例の容器蓋１は、従来例とほぼ同様に構成された頂壁３と側壁４、鍔部１３等を有しているが、本実施例では、操作板としてのフラップ６およびその周辺構成を以下に述べるような特徴的な構成としている。
【手続補正１０】
【補正対象書類名】明細書
【補正対象項目名】００３３
【補正方法】変更
【補正の内容】
【００３３】
また、本実施例では、図１（ｂ）に示されるように、フラップ６の下面の一部位であるフラップ６の基端部に、連結部１７を介して弁板１６が連結されている。この弁板１６がフラップ６に対し間隔を介して重なり合う態様で、連結部１７から先方へ向けて伸張形成されて開口１０の下側に配置されており、弁板１６は、図１（ｂ）に矢印Ｃに示されるように、連接部位２０を支点としてフラップ６と一体的に上下回転方向に移動可能と成している。
【手続補正１１】
【補正対象書類名】明細書
【補正対象項目名】００３４
【補正方法】変更
【補正の内容】
【００３４】
本実施例において、開口１０に対向する弁板１６の部位が開口１０よりも少なくとも一部（ここでは開口１０の曲線部分全領域部）が開口１０よりも外側にはみ出る大きい平面を有しており（図１（ａ）、参照）、この構成と、前記の如く弁板１６を図１（ｂ）に矢印Ｃに示されるように連接部位２０を支点としてフラップ６と一体的に上下回転方向に移動可能な構成とで、飲料が収容されている容器（紙コップ２）に容器蓋１が被せられている容器蓋１の使用状態時に紙コップ２内の飲料が開口１０から外へ飛び出そうとしたときに、その飲料の飛び出し方向の圧力を紙コップ２内から受けて弁板１６が上向きに回転移動し、開口１０を塞いで開口１０から外部への飲料の飛び出し飛散を抑制する構成と成している。
【手続補正１２】
【補正対象書類名】明細書
【補正対象項目名】００３９
【補正方法】変更
【補正の内容】
【００３９】
さらに、前記実施例では頂壁３に脆弱部位としての切り込み５を形成し、この切り込み５を破断することにより開口１０が形成されるようにしたが、切り込み５を形成する代わりに、頂壁３にミシン目状に切れ目を形成したり、頂壁３に薄肉化した脆弱部位を形成したりする等、破断可能な脆弱部位を形成し、その脆弱部位を破断して開口１０とフラップ６を形成できるようにしてもよい。また、脆弱部位を破断する構成とせずに、始めからフラップ６を、その基端部を除いて頂壁３から分離した構成としてもよい。
【手続補正１３】
【補正対象書類名】明細書
【補正対象項目名】００４０
【補正方法】変更
【補正の内容】
【００４０】
さらに、変形例として、前記実施例のような弁板１６を設けずに、フラップ６の上下回転方向に移動する面部位を少なくとも一部が開口１０よりも外側にはみ出る大きい平面に形成されるようにし、フラップ６の上下回転方向に移動する面部位が開口１０の上側から開口１０の下側へ押し込まれた配置状態で、飲料が収容されている容器（例えば紙コップ２）に容器蓋１が被せられている容器蓋１の使用状態時に容器内の飲料が開口１０から外へ飛び出そうとしたときに、その飲料の飛び出し方向の圧力を容器内から受けてフラップ６が上向きに回転移動し、開口１０を塞いで開口１０から外部への飲料の飛び出し飛散を抑制する構成（つまり、フラップ６が前記実施例における弁板１６を兼ねる構成）とすることもできる。